(57)【特許請求の範囲】
【請求項１】
複数の通信装置間においてスペクトラム拡散通信される情報を受信して通信状態を測定する通信状態測定装置であって、
前記情報の搬送周波数を測定する周波数測定手段と、
前記情報の搬送周波数が使用される度数を測定する度数測定手段と、
前記度数に応じた長さを有する表示用図形を前記情報の搬送周波数ごとに表示する度数表示手段と、
を備え、
前記度数測定手段は前記度数を所定長さの時間ごとに測定し、
前記度数表示手段は、ある所定長さの時間に対応する前記表示用図形を他の所定長さの時間に対応する前記表示用図形の長さ方向上に配置して表示する通信状態測定装置。
【請求項２】
通信装置とスペクトラム拡散通信を行うことにより情報を受信して通信状態を測定する通信状態測定装置であって、
前記情報の搬送周波数を測定する周波数測定手段と、
前記情報の搬送周波数が使用される度数を測定する度数測定手段と、
前記度数に応じた長さを有する表示用図形を前記情報の搬送周波数ごとに表示する度数表示手段と、
を備え、
前記度数測定手段は前記度数を所定長さの時間ごとに測定し、
前記度数表示手段は、ある所定長さの時間に対応する前記表示用図形を他の所定長さの時間に対応する前記表示用図形の長さ方向上に配置して表示する通信状態測定装置。
【請求項３】
請求項１または２に記載の通信状態測定装置であって、
前記通信装置はBluetooth通信（登録商標）を行う通信状態測定装置。
【請求項４】
複数の通信装置間においてスペクトラム拡散通信される情報を受信して通信状態を測定する通信状態測定方法であって、
前記情報の搬送周波数を測定する周波数測定工程と、
前記情報の搬送周波数が使用される度数を測定する度数測定工程と、
前記度数に応じた長さを有する表示用図形を前記情報の搬送周波数ごとに表示する度数表示工程と、
を備え、
前記度数測定工程は前記度数を所定長さの時間ごとに測定し、
前記度数表示工程は、ある所定長さの時間に対応する前記表示用図形を他の所定長さの時間に対応する前記表示用図形の長さ方向上に配置して表示する通信状態測定方法。
【請求項５】
通信装置とスペクトラム拡散通信を行うことにより情報を受信して通信状態を測定する通信状態測定方法であって、
前記情報の搬送周波数を測定する周波数測定工程と、
前記情報の搬送周波数が使用される度数を測定する度数測定工程と、
前記度数に応じた長さを有する表示用図形を前記情報の搬送周波数ごとに表示する度数表示工程と、
を備え、
前記度数測定工程は前記度数を所定長さの時間ごとに測定し、
前記度数表示工程は、ある所定長さの時間に対応する前記表示用図形を他の所定長さの時間に対応する前記表示用図形の長さ方向上に配置して表示する通信状態測定方法。
【請求項６】
複数の通信装置間においてスペクトラム拡散通信される情報を受信して通信状態を測定する通信状態測定処理をコンピュータに実行させるためのプログラムであって、
前記情報の搬送周波数を測定する周波数測定処理と、
前記情報の搬送周波数が使用される度数を測定する度数測定処理と、
前記度数に応じた長さを有する表示用図形を前記情報の搬送周波数ごとに表示する度数表示処理と、
をコンピュータに実行させるためのプログラムであり、
前記度数測定処理は前記度数を所定長さの時間ごとに測定し、
前記度数表示処理は、ある所定長さの時間に対応する前記表示用図形を他の所定長さの時間に対応する前記表示用図形の長さ方向上に配置して表示するプログラム。
【請求項７】
通信装置とスペクトラム拡散通信を行うことにより情報を受信して通信状態を測定する通信状態測定処理をコンピュータに実行させるためのプログラムであって、
前記情報の搬送周波数を測定する周波数測定処理と、
前記情報の搬送周波数が使用される度数を測定する度数測定処理と、
前記度数に応じた長さを有する表示用図形を前記情報の搬送周波数ごとに表示する度数表示処理と、
をコンピュータに実行させるためのプログラムであり、
前記度数測定処理は前記度数を所定長さの時間ごとに測定し、
前記度数表示処理は、ある所定長さの時間に対応する前記表示用図形を他の所定長さの時間に対応する前記表示用図形の長さ方向上に配置して表示するプログラム。
【請求項８】
複数の通信装置間においてスペクトラム拡散通信される情報を受信して通信状態を測定する通信状態測定処理をコンピュータに実行させるためのプログラムを記録したコンピュータによって読み取り可能な記録媒体であって、
前記情報の搬送周波数を測定する周波数測定処理と、
前記情報の搬送周波数が使用される度数を測定する度数測定処理と、
前記度数に応じた長さを有する表示用図形を前記情報の搬送周波数ごとに表示する度数表示処理と、
をコンピュータに実行させるためのプログラムを記録したコンピュータによって読み取り可能な記録媒体であり、
前記度数測定処理は前記度数を所定長さの時間ごとに測定し、
前記度数表示処理は、ある所定長さの時間に対応する前記表示用図形を他の所定長さの時間に対応する前記表示用図形の長さ方向上に配置して表示する記録媒体。
【請求項９】
通信装置とスペクトラム拡散通信を行うことにより情報を受信して通信状態を測定する通信状態測定処理をコンピュータに実行させるためのプログラムを記録したコンピュータによって読み取り可能な記録媒体であって、
前記情報の搬送周波数を測定する周波数測定処理と、
前記情報の搬送周波数が使用される度数を測定する度数測定処理と、
前記度数に応じた長さを有する表示用図形を前記情報の搬送周波数ごとに表示する度数表示処理と、
をコンピュータに実行させるためのプログラムを記録したコンピュータによって読み取り可能な記録媒体であり、
前記度数測定処理は前記度数を所定長さの時間ごとに測定し、
前記度数表示処理は、ある所定長さの時間に対応する前記表示用図形を他の所定長さの時間に対応する前記表示用図形の長さ方向上に配置して表示する記録媒体。
【発明の詳細な説明】
【０００１】
【発明の属する技術分野】
本発明はBluetooth（以下、「Bluetooth」との記載、および「bluetooth」との記載は、Bluetooth（登録商標）を意味する）方式等を利用する通信における通信状態（例えば、チャネルごとの発生頻度）の測定に関する。
【０００２】
【従来の技術】
従来より、通信方式としてBluetooth方式がある。Bluetooth方式によるデータ通信を測定する際に、ある特定の周波数（チャネル）におけるパワーやその規定値に対する誤差を数値で表示することが行われている。
【０００３】
【発明が解決しようとする課題】
しかしながら、全チャネルにおける信号の出現頻度が測定および表示されることはない。
【０００４】
そこで、本発明は、全チャネルにおける信号の出現頻度を測定することを課題とする。
【０００５】
【課題を解決するための手段】
請求項１に記載の発明は、複数の通信装置間において通信される情報を受信して通信状態を測定する通信状態測定装置であって、情報の周波数を測定する周波数測定手段と、情報の周波数が使用される度数を測定する度数測定手段とを備えるように構成される。
【０００６】
上記のように構成された通信状態測定装置によれば、度数測定手段により、複数の通信装置間の通信において周波数（チャネル）が使用される度数が測定される。よって、全チャネルにおける信号の出現頻度が測定できる。
【０００７】
請求項２に記載の発明は、通信装置と通信を行うことにより情報を受信して通信状態を測定する通信状態測定装置であって、情報の周波数を測定する周波数測定手段と、情報の周波数が使用される度数を測定する度数測定手段とを備えるように構成される。
【０００８】
上記のように構成された通信状態測定装置によれば、度数測定手段により、通信装置において周波数（チャネル）が使用される度数が測定される。よって、全チャネルにおける信号の出現頻度が測定できる。
【０００９】
請求項３に記載の発明は、請求項１または２に記載の発明であって、通信装置はbluetooth通信を行うように構成される。
【００１０】
請求項４に記載の発明は、請求項１ないし３のいずれか一項に記載の発明であって、度数を表示する度数表示手段を備えたように構成される。
【００１１】
請求項５に記載の発明は、請求項４に記載の発明であって、度数表示手段は、度数に応じた長さを有する表示用図形を情報の周波数ごとに表示するように構成される。
【００１２】
請求項６に記載の発明は、請求項５に記載の発明であって、度数測定手段は度数を所定時間ごとに測定し、度数表示手段は、ある所定時間に対応する表示用図形を他の所定時間に対応する表示用図形の長さ方向上に配置して表示するように構成される。
【００１３】
請求項７に記載の発明は、複数の通信装置間において通信される情報を受信して通信状態を測定する通信状態測定方法であって、情報の周波数を測定する周波数測定工程と、情報の周波数が使用される度数を測定する度数測定工程とを備えるように構成される。
【００１４】
請求項８に記載の発明は、通信装置と通信を行うことにより情報を受信して通信状態を測定する通信状態測定方法であって、情報の周波数を測定する周波数測定工程と、情報の周波数が使用される度数を測定する度数測定工程とを備えるように構成される。
【００１５】
請求項９に記載の発明は、複数の通信装置間において通信される情報を受信して通信状態を測定する通信状態測定処理をコンピュータに実行させるためのプログラムであって、情報の周波数を測定する周波数測定処理と、情報の周波数が使用される度数を測定する度数測定処理とをコンピュータに実行させるためのプログラムである。
【００１６】
請求項１０に記載の発明は、通信装置と通信を行うことにより情報を受信して通信状態を測定する通信状態測定処理をコンピュータに実行させるためのプログラムであって、情報の周波数を測定する周波数測定処理と、情報の周波数が使用される度数を測定する度数測定処理とをコンピュータに実行させるためのプログラムである。
【００１７】
請求項１１に記載の発明は、複数の通信装置間において通信される情報を受信して通信状態を測定する通信状態測定処理をコンピュータに実行させるためのプログラムを記録したコンピュータによって読み取り可能な記録媒体であって、情報の周波数を測定する周波数測定処理と、情報の周波数が使用される度数を測定する度数測定処理とをコンピュータに実行させるためのプログラムを記録したコンピュータによって読み取り可能な記録媒体である。
【００１８】
請求項１２に記載の発明は、通信装置と通信を行うことにより情報を受信して通信状態を測定する通信状態測定処理をコンピュータに実行させるためのプログラムを記録したコンピュータによって読み取り可能な記録媒体であって、情報の周波数を測定する周波数測定処理と、情報の周波数が使用される度数を測定する度数測定処理とをコンピュータに実行させるためのプログラムを記録したコンピュータによって読み取り可能な記録媒体である。
【００１９】
【発明の実施の形態】
以下、本発明の実施形態を図面を参照しながら説明する。
【００２０】
第一の実施形態
図１に、第一の実施形態にかかる通信装置２と通信装置４との間の通信状態を測定する通信状態測定システムの構成を示す。通信状態測定システムは、通信状態測定装置１、通信装置２、通信装置４を備える。通信状態測定装置１は、通信装置２と通信装置４との間において通信される情報を受信して通信状態を測定する。通信装置２および通信装置４はbluetooth規格に基づいた通信を行う。
【００２１】
図２は、通信状態測定装置１の構成を示すブロック図である。通信状態測定装置１は、受信部１０、周波数測定部１２、タイマ１４、通信ログ記録部１６、度数測定部１８、度数表示部２０を備える。
【００２２】
受信部１０は、通信装置２と通信装置４との間において通信される情報を受信する。受信部１０自体は周知のbluetooth規格に適合したものを使用すればよい。
【００２３】
周波数測定部１２は、受信部１０から情報を受け、かかる情報の周波数を測定する。bluetooth規格の場合、周波数は2402〜2480MHz（０〜７８チャネル）である。
【００２４】
タイマ１４は、受信部１０から情報を受け、情報を受けた時刻を出力する。
【００２５】
通信ログ記録部１６は、周波数測定部１２からは周波数を、タイマ１４からは情報を受けた時刻を受けて、記録する。この記録内容を通信ログという。
【００２６】
度数測定部１８は、通信ログ記録部１６の記録内容に基づき、ある所定の時間において周波数が使用される度数（頻度）を測定する。情報を受けた時刻が所定の時間内であるか否かは、タイマ１４によって情報を受けた時刻がわかるので、判定可能である。
【００２７】
度数表示部２０は、度数測定部１８が測定した度数を表示する。度数表示部２０の表示内容の一例を図３に示す。図３に示す例においては、横軸がチャネル、縦軸がチャネル（周波数）の出現頻度（度数）を示す。各チャネルごとに棒グラフ（表示用図形）が表示されており、その長さ（高さ）がチャネル（周波数）の出現頻度を示す。
【００２８】
次に、第一の実施形態の動作を説明する。
【００２９】
通信装置２と通信装置４との間において通信される情報は、受信部１０により受信される。受信された情報は、周波数測定部１２により周波数が、タイマ１４により受けた時刻が測定され、通信ログ記録部１６に記録される。通信ログ記録部１６に記録された通信ログは、度数測定部１８により読み出され、ある所定の時間において周波数が使用される度数（頻度）が測定される。測定された度数は、各チャネル（周波数）ごとに棒グラフの高さとして度数表示部２０により表示される。
【００３０】
第一の実施形態によれば、度数測定部１８により、通信装置２、４間の通信において周波数（チャネル）が使用される度数が測定される。よって、全チャネルにおける信号の出現頻度が測定できる。しかも、測定された出現頻度が度数表示部２０により表示されるため、全チャネルにおける度数がわかりやすい。
【００３１】
第二の実施形態
第二の実施形態にかかる通信状態測定システムは、度数表示部２０の表示内容が第一の実施形態と異なる。第二の実施形態にかかる通信状態測定システムは、第一の実施形態と同様に、通信状態測定装置１、通信装置２、通信装置４を備える。構成は第一の実施形態と同様である（図１参照）。
【００３２】
通信状態測定装置１の構成は第一の実施形態と同様である（図２参照）。通信状態測定装置１は、受信部１０、周波数測定部１２、タイマ１４、通信ログ記録部１６、度数測定部１８、度数表示部２０を備える。
【００３３】
受信部１０、周波数測定部１２、タイマ１４、通信ログ記録部１６は第一の実施形態と同様である。
【００３４】
度数測定部１８は、通信ログ記録部１６の記録内容に基づき、所定の時間ごとにおいて周波数が使用される度数（頻度）を測定する。例えば、時間０〜ｔにおける度数、時間ｔ〜２ｔにおける度数、時間２ｔ〜３ｔにおける度数を測定する。
【００３５】
度数表示部２０は、度数測定部１８が測定した度数を表示する。度数表示部２０の表示内容の一例を図４に示す。時間０〜ｔにおける度数は棒グラフ２０ａ、時間ｔ〜２ｔにおける度数は棒グラフ２０ｂ、時間２ｔ〜３ｔにおける度数は棒グラフ２０ｃにより表される。ここで、各チャネル（周波数）ごとに、棒グラフ２０ａの長さ方向の直上に棒グラフ２０ｂが配置され、棒グラフ２０ｂの長さ方向の直上に棒グラフ２０ｃが配置される。これにより、各所定時間ごとにチャネルの出現頻度がわかる。なお、棒グラフ２０ａ、２０ｂ、２０ｃは図４においては、模様が異なるように図示しているが、色が異なるようにしてもよい。
【００３６】
次に、第二の実施形態の動作を説明する。
【００３７】
通信装置２と通信装置４との間において通信される情報は、受信部１０により受信される。受信された情報は、周波数測定部１２により周波数が、タイマ１４により受けた時刻が測定され、通信ログ記録部１６に記録される。通信ログ記録部１６に記録された通信ログは、度数測定部１８により読み出され、所定の時間ごと（時間０〜ｔ、時間ｔ〜２ｔ、時間２ｔ〜３ｔ）において周波数が使用される度数（頻度）が測定される。測定された度数は、各チャネル（周波数）ごとに棒グラフの高さとして度数表示部２０により表示される。しかも、所定の時間ごとに表示形態（例えば模様、色）が異なる棒グラフ２０ａ、２０ｂ、２０ｃとして度数が表示される。
【００３８】
第二の実施形態によれば、度数測定部１８により、通信装置２、４間の通信において周波数（チャネル）が使用される度数が測定される。よって、全チャネルにおける信号の出現頻度が測定できる。しかも、測定された出現頻度が度数表示部２０により表示されるため、全チャネルにおける度数がわかりやすい。さらに、所定の時間ごとに表示形態（例えば模様、色）が異なる棒グラフ２０ａ、２０ｂ、２０ｃとして度数が表示されるため、各所定時間ごとにチャネルの出現頻度がわかる。
【００３９】
なお、上記の本発明の実施形態においては、通信状態測定装置１が通信装置２と通信装置４との間の通信状態を測定する場合を例にとって説明した。しかし、このように複数の通信装置間の通信を測定すること以外にも通信状態測定装置１を適用できる。
【００４０】
このような変形例を図５に示す。通信状態測定装置１は、通信装置２と通信を行うことにより情報を受信して通信状態を測定する。通信装置２はbluetooth規格に基づいた通信を行う。通信状態測定装置１の構成および動作は本発明の実施形態と同様である。この変形例によれば、通信装置２による通信において全チャネルにおける度数がわかりやすい。
【００４１】
なお、上記の実施形態において、ＣＰＵ、ハードディスク、メディア（フロッピーディスク、ＣＤ−ＲＯＭなど）読み取り装置を備えたコンピュータのメディア読み取り装置に、上記の各部分（例えば、通信状態測定装置１の各部分など）を実現するプログラムを記録したメディアを読み取らせて、ハードディスクにインストールする。このような方法でも、通信状態測定装置を実現できる。
【００４２】
【発明の効果】
本発明によれば、度数測定手段により、通信において周波数（チャネル）が使用される度数が測定される。よって、全チャネルにおける信号の出現頻度が測定できる。
【図面の簡単な説明】
【図１】第一の実施形態にかかる通信装置２と通信装置４との間の通信状態を測定する通信状態測定システムの構成を示す図である。
【図２】通信状態測定装置１の構成を示すブロック図である。
【図３】度数表示部２０の表示内容の一例を示す図である。
【図４】第二の実施形態における度数表示部２０の表示内容の一例を示す図である。
【図５】本発明の実施形態の変形例を示す図である。
【符号の説明】
１  通信状態測定装置
２  通信装置
４  通信装置
１０  受信部
１２  周波数測定部
１４  タイマ
１６  通信ログ記録部
１８  度数測定部
２０  度数表示部
【図１】
0003998177.tif 000002
【図２】
0003998177.tif 000003
【図３】
0003998177.tif 000004
【図４】
0003998177.tif 000005
【図５】
0003998177.tif 000006